(57)【要約】【課題】  銀塩フイルムの特性を正確かつ容易に理解することのできるフイルムカートリッジ、レンズ付きフイルムユニット、及びそれらの収容箱を提供する。【解決手段】  フイルムテイストチャート２は、銀塩フイルムの有する各種特性のうち彩度及び階調を定量化したフイルムテイスト値を２軸のグラフ上にプロットしたものであり、縦軸は彩度、横軸は階調を表している。フイルムテイスト値、及びフイルムテイストチャート２は、銀塩フイルムを巻き込んで収容するフイルムカートリッジの外面、フイルムカートリッジに露光装置が一体に設けられてなるレンズ付きフイルムユニットの外面、又はフイルムカートリッジ又はレンズ付きフイルムユニットを収容する収容箱の外面に印刷されている。【選択図】        図１
2005316253.tif 000002
【特許請求の範囲】
【請求項１】
銀塩フイルムを巻き込んで収容するフイルムカートリッジにおいて、
前記銀塩フイルムの有する定量化された複数の特性値がプロットされたチャートが外面に印刷されていることを特徴とするフイルムカートリッジ。
【請求項２】
前記チャートには、他の銀塩フイルムの定量化された特性値が比較のためにプロットされていることを特徴とする請求項１記載のフイルムカートリッジ。
【請求項３】
前記銀塩フイルムの特性値として、定量化された彩度と階調とが用いられることを特徴とする請求項１又は２記載のフイルムカートリッジ。
【請求項４】
前記彩度及び階調を表す数値が外面に印刷されていることを特徴とする請求項３記載のフイルムカートリッジ。
【請求項５】
前記彩度は、前記銀塩フイルムにマクベスチャートを露光し、１８％グレーが再現されるようにプリントされたマクベスチャートの各色を測色して平均化することで定量化されたものであり、前記階調は、対数露光量と光学濃度とに関する特性曲線のグレー露光におけるγ値を青，緑，赤について平均化することで定量化されたものであることを特徴とする請求項３又は４記載のフイルムカートリッジ。
【請求項６】
前記彩度は、白黒フイルムが０、アグファ社のウルトラ１００が９０となるように規格化されたものであることを特徴とする請求項５記載のフイルムカートリッジ。
【請求項７】
前記チャートは、前記彩度と前記階調とを示す直交する２軸を有し、この２軸の交点は、前記彩度が５０、前記階調が５であることを特徴とする請求項６記載のフイルムカートリッジ。
【請求項８】
銀塩フイルムを巻き込んで収容するフイルムカートリッジに露光装置が一体に設けられてなるレンズ付きフイルムユニットにおいて、
前記銀塩フイルムの有する定量化された複数の特性値がプロットされたチャートが外面に印刷されていることを特徴とするレンズ付きフイルムユニット。
【請求項９】
前記チャートには、他の銀塩フイルムの定量化された特性値が比較のためにプロットされていることを特徴とする請求項８記載のレンズ付きフイルムユニット。
【請求項１０】
前記銀塩フイルムの特性値として、定量化された彩度と階調とが用いられることを特徴とする請求項８又は９記載のレンズ付きフイルムユニット。
【請求項１１】
前記彩度及び階調を表す数値が外面に印刷されていることを特徴とする請求項１０記載のレンズ付きフイルムユニット。
【請求項１２】
前記彩度は、前記銀塩フイルムにマクベスチャートを露光し、１８％グレーが再現されるようにプリントされたマクベスチャートの各色を測色して平均化することで定量化されたものであり、前記階調は、対数露光量と光学濃度とに関する特性曲線のグレー露光におけるγ値を青，緑，赤について平均化することで定量化されたものであることを特徴とする請求項１０又は１１記載のレンズ付きフイルムユニット。
【請求項１３】
前記彩度は、白黒フイルムが０、アグファ社のウルトラ１００が９０となるように規格化されたものであることを特徴とする請求項１２記載のレンズ付きフイルムユニット。
【請求項１４】
前記チャートは、前記彩度と前記階調とを示す直交する２軸を有し、この２軸の交点は、前記彩度が５０、前記階調が５であることを特徴とする請求項１３記載のレンズ付きフイルムユニット。
【請求項１５】
銀塩フイルムを巻き込んで収容するフイルムカートリッジ、又はフイルムカートリッジに露光装置が一体に設けられてなるレンズ付きフイルムユニットを収容する収容箱において、
前記銀塩フイルムの有する定量化された複数の特性値がプロットされたチャートが外面に印刷されていることを特徴とする収容箱。
【請求項１６】
前記チャートには、他の銀塩フイルムの定量化された特性値が比較のためにプロットされていることを特徴とする請求項１５記載の収容箱。
【請求項１７】
前記銀塩フイルムの特性値として、定量化された彩度と階調とが用いられることを特徴とする請求項１５又は１６記載の収容箱。
【請求項１８】
前記彩度及び階調を表す数値が外面に印刷されていることを特徴とする請求項１７記載の収容箱。
【請求項１９】
前記彩度は、前記銀塩フイルムにマクベスチャートを露光し、１８％グレーが再現されるようにプリントされたマクベスチャートの各色を測色して平均化することで定量化されたものであり、前記階調は、対数露光量と光学濃度とに関する特性曲線のグレー露光におけるγ値を青，緑，赤について平均化することで定量化されたものであることを特徴とする請求項１７又は１８記載の収容箱。
【請求項２０】
前記彩度は、白黒フイルムが０、アグファ社のウルトラ１００が９０となるように規格化されたものであることを特徴とする請求項１９記載の収容箱。
【請求項２１】
前記チャートは、前記彩度と前記階調とを示す直交する２軸を有し、この２軸の交点は、前記彩度が５０、前記階調が５であることを特徴とする請求項２０記載の収容箱。
【発明の詳細な説明】
【技術分野】
【０００１】
本発明は、銀塩フイルムを収容したフイルムカートリッジ、レンズ付きフイルムユニット、及びそれらの収容箱に関するものである。
【背景技術】
【０００２】
現在、パトローネやＡＰＳカートリッジなどのフイルムカートリッジが着脱自在に装填されるカメラや、このようなフイルムカートリッジに露光装置が一体に設けられた１回使用型のレンズ付きフイルムユニットが普及している。フイルムカートリッジに収容される銀塩フイルムには、その特性に応じて各種のタイプがあり、ＩＳＯ感度や、彩度、階調などの特性の異なるものが販売されている。ＩＳＯ感度は、フイルムカートリッジやレンズ付きフイルムユニットの外面、及びこれらを収容する収容箱の外面に数値化されて記載されている（例えば、１００、４００といった標記）。例えば、店頭での購入者は、この記載を参照し、目的に応じたＩＳＯ感度のフイルムカートリッジやレンズ付きフイルムユニットを購入することができる。
【０００３】
その反面、彩度と階調に関しては、「超極彩度・硬調」、「標準彩度・軟調」といった表現を用いてその特性が収容箱などに示されている。また、パンフレットなどにおいて、上記表現を用い、高彩度・硬階調から低彩度・軟階調まで順に並べられた製品比較表が提供されており、購入者が各製品を彩度・階調に関して一覧比較できるようにされている。
【発明の開示】
【発明が解決しようとする課題】
【０００４】
しかしながら、彩度及び階調に関する上記表現は、官能評価に基づくものであるので、購入者や使用者は彩度・階調などの特性による製品の違いを正確に理解することはできない。
【０００５】
本発明は、上記の事情を考慮してなされたもので、収容された銀塩フイルムの特性を正確かつ容易に理解することのできるフイルムカートリッジ、レンズ付きフイルムユニット、及びそれらの収容箱を提供することを目的とする。
【課題を解決するための手段】
【０００６】
本発明のフイルムカートリッジは、銀塩フイルムを巻き込んで収容するフイルムカートリッジにおいて、前記銀塩フイルムの有する定量化された複数の特性値がプロットされたチャートが外面に印刷されていることを特徴とするものである。
【０００７】
なお、前記チャートには、他の銀塩フイルムの定量化された特性値が比較のためにプロットされていることが好ましい。
【０００８】
また、前記銀塩フイルムの特性値として、定量化された彩度と階調とが用いられることが好ましい。
【０００９】
また、前記彩度及び階調を表す数値が外面に印刷されていることが好ましい。
【００１０】
また、前記彩度は、前記銀塩フイルムにマクベスチャートを露光し、１８％グレーが再現されるようにプリントされたマクベスチャートの各色を測色して平均化することで定量化されたものであり、前記階調は、対数露光量と光学濃度とに関する特性曲線のグレー露光におけるγ値を青，緑，赤について平均化することで定量化されたものであることが好ましい。
【００１１】
また、前記彩度は、白黒フイルムが０、アグファ社のウルトラ１００が９０となるように規格化されたものであることが好ましい。
【００１２】
また、前記チャートは、前記彩度と前記階調とを示す直交する２軸を有し、この２軸の交点は、前記彩度が５０、前記階調が５であることが好ましい。
【００１３】
本発明のレンズ付きフイルムユニットは、銀塩フイルムを巻き込んで収容するフイルムカートリッジに露光装置が一体に設けられてなるレンズ付きフイルムユニットにおいて、前記銀塩フイルムの有する定量化された複数の特性値がプロットされたチャートが外面に印刷されていることを特徴とするものである。
【００１４】
なお、前記チャートには、他の銀塩フイルムの定量化された特性値が比較のためにプロットされていることが好ましい。
【００１５】
また、前記銀塩フイルムの特性値として、定量化された彩度と階調とが用いられることが好ましい。
【００１６】
また、前記彩度及び階調を表す数値が外面に印刷されていることが好ましい。
【００１７】
また、前記彩度は、前記銀塩フイルムにマクベスチャートを露光し、１８％グレーが再現されるようにプリントされたマクベスチャートの各色を測色して平均化することで定量化されたものであり、前記階調は、対数露光量と光学濃度とに関する特性曲線のグレー露光におけるγ値を青，緑，赤について平均化することで定量化されたものであることが好ましい。
【００１８】
また、前記彩度は、白黒フイルムが０、アグファ社のウルトラ１００が９０となるように規格化されたものであることが好ましい。
【００１９】
また、前記チャートは、前記彩度と前記階調とを示す直交する２軸を有し、この２軸の交点は、前記彩度が５０、前記階調が５であることが好ましい。
【００２０】
本発明の収容箱は、銀塩フイルムを巻き込んで収容するフイルムカートリッジ、又はフイルムカートリッジに露光装置が一体に設けられてなるレンズ付きフイルムユニットを収容する収容箱において、前記銀塩フイルムの有する定量化された複数の特性値がプロットされたチャートが外面に印刷されていることを特徴とするものである。
【００２１】
なお、前記チャートには、他の銀塩フイルムの定量化された特性値が比較のためにプロットされていることが好ましい。
【００２２】
また、前記銀塩フイルムの特性値として、定量化された彩度と階調とが用いられることが好ましい。
【００２３】
また、前記彩度及び階調を表す数値が外面に印刷されていることが好ましい。
【００２４】
また、前記彩度は、前記銀塩フイルムにマクベスチャートを露光し、１８％グレーが再現されるようにプリントされたマクベスチャートの各色を測色して平均化することで定量化されたものであり、前記階調は、対数露光量と光学濃度とに関する特性曲線のグレー露光におけるγ値を青，緑，赤について平均化することで定量化されたものであることが好ましい。
【００２５】
また、前記彩度は、白黒フイルムが０、アグファ社のウルトラ１００が９０となるように規格化されたものであることが好ましい。
【００２６】
また、前記チャートは、前記彩度と前記階調とを示す直交する２軸を有し、この２軸の交点は、前記彩度が５０、前記階調が５であることが好ましい。
【発明の効果】
【００２７】
本発明によれば、フイルムカートリッジ、レンズ付きフイルムユニット、又はそれらの収容箱には、銀塩フイルムの有する定量化された複数の特性値がプロットされたチャートが外面に印刷されているので、これらの製品の購入者や使用者は、収容された銀塩フイルムの特性を正確かつ容易に理解することができる。なお、上記チャートに、他の銀塩フイルムの定量化された特性値が比較のためにプロットされていれば、他の銀塩フイルムとの特性比較が容易となる。
【００２８】
また、フイルムカートリッジ、レンズ付きフイルムユニット、又はそれらの収容箱には、銀塩フイルムの定量化された彩度及び階調を表す数値が外面に印刷されているので、これらの製品の購入者や使用者は、収容された銀塩フイルムの彩度・階調に関する特性を正確かつ容易に理解することができる。
【発明を実施するための最良の形態】
【００２９】
図１は、銀塩フイルム（感材）の有する各種特性のうち彩度及び階調を定量化してフイルムテイスト値（特性値）とし、これを２軸のグラフ上に表したフイルムテイストチャートの一例である。フイルムテイストチャート２において、縦軸は彩度を表し、高彩度側が「あざやかな」、低彩度が「落ち着いた」に対応している。また、横軸は階調を表し、硬階調側が「くっきり」、軟階調側が「なめらか」に対応している。
【００３０】
彩度とは、現像後に再現される画像の色の鮮やかさ（色の強さ）の度合いのことであり、彩度が高いと純色の赤（Ｒ）、青（Ｂ）、緑（Ｇ）に近い色で画像が再現され、彩度が低いと純色に白や黒などの無彩色が加わって鮮やかさが薄れた落ち着いた色で画像が再現される。また、階調とは、画像の最も明るい部分から最も暗い部分までを何段階で再現できるかのことであり、この段階数が多いほど、画像のグラデーション部がより滑らかに、忠実に再現される。
【００３１】
また、彩度は、ノーマル露光した上でプリントしたマクベスチャート１８色の平均彩度によって定義され、定量化される。つまり、彩度は、マクベスチャートが適正露光された銀塩フイルムを、１８％グレー（反射率１８％のグレー）がプリント上でも１８％グレーになるように色と濃度を調節して光学プリンタでカラーペーパにプリントし、そのプリント上のマクベスチャートを測色して、均等色空間ＬａｂのＬ＊＝一定の平面上での各色のグレーからの距離（色合わせしてプリントしているので１８％グレーはほぼ原点近くにある）の平均値で定量化される。なお、上記マクベスチャートの測色は、測定した分光反射スペクトルに等色関数をかけて積分してＸＹＺ色度値を求め、そして均等色空間Ｌａｂに変換することで行われる。さらに、このようにして定量化された彩度は、白黒フイルムの値が“０”、アグファ社のウルトラ１００（現在市販されている中で最も彩度の高い銀塩フイルム）の値が“９０”となるように所定値が乗じられ、“０”から“９０”の間の値を取るように規格化される。
【００３２】
階調は、−１，Ｎ，＋２でのＢ，Ｇ，Ｒのグレー階調の平均値によって定義され、定量化される。つまり、階調は、横軸を対数露光量、縦軸を現像後の光学濃度としたグラフ上でのセンシトカーブ（特性曲線）のグレー露光におけるγ値（傾き）をＢ，Ｇ，Ｒについて平均した値で定量化される。
【００３３】
このようにして定量化された彩度及び階調を、フイルムテイスト値（彩度，階調）として表す。フイルムテイスト値は、上記定量化時の測定条件に依存して変化するものであるが、測定条件を常に同一にすることで各種銀塩フイルム間でのフイルムテイスト値の相対関係は保たれる。
【００３４】
フイルムテイストチャート２の縦軸と横軸とが交わる交点は、標準的な銀塩フイルムのフイルムテイスト値、例えば（彩度，階調）＝（５０，５）に対応した位置となっている。フイルムテイストチャート２には、フイルムテイスト値（４０，４）がプロットされている。そのプロット位置である、彩度“４０”、階調“４”の座標位置には、彩度、階調のそれぞれの数値を四角形の枠で囲んだものが標記されている。
【００３５】
図２は、３５ミリ幅の銀塩フイルム３をロール状に巻き込んで収容するパトローネ４を示す。パトローネ４の外面には、撮影枚数やＩＳＯ感度のほか、銀塩フイルム３のフイルムテイスト値、及びこのフイルムテイスト値をグラフ上に表したフイルムテイストチャート２が印刷されている。このようなパトローネ４はカメラに着脱自在に装填される。カメラの使用者は、パトローネ４に付されたフイルムテイスト値又はフイルムテイストチャート２を参照することで、簡単かつ的確に好みの彩度・階調特性を有するフイルムを選択することができる。なお、本発明はパトローネには限られるものではなく、銀塩フイルムを巻き込んで収容するフイルムカートリッジであればよく、ＡＰＳカートリッジなどのフイルムカートリッジに、フイルムテイストチャート２を印刷するようにしてもよい。
【００３６】
図３は、販売時にパトローネ４などのフイルムカートリッジを収容する紙製の収容箱５を示す。同図（Ａ）は斜視図、同図（Ｂ）はその展開図である。直方形の収容箱５の外面には、収容されたフイルムカートリッジの銀塩フイルムのフイルムテイスト値、及びこのフイルムテイスト値をグラフ上に表したフイルムテイストチャート２が印刷されており、その他、撮影枚数やＩＳＯ感度なども印刷されている。購入者は、収容箱５に付されたフイルムテイスト値又はフイルムテイストチャート２を参照することで、簡単かつ的確に好みの彩度・階調特性を有するものを選択することができる。なお、収容箱５は、フイルムカートリッジを包装可能なものであれば材質や形状には限定されず、適宜の材質や形状を用いることができる。
【００３７】
図４は、パトローネ４などのフイルムカートリッジに露光装置が一体に設けられた１回使用型のレンズ付きフイルムユニット６を示す。レンズ付きフイルムユニット６の本体７の外面にはラベルシート８が貼付され、ラベルシート８には、本体７に装填された銀塩フイルムのフイルムテイスト値、及びこのフイルムテイスト値をグラフ上に表したフイルムテイストチャート２が印刷されている。レンズ付きフイルムユニット６の購入者や使用者は、フイルムテイスト値又はフイルムテイストチャート２を参照することで、簡単かつ的確に好みの彩度・階調特性を有するものを選択することができる。なお、フイルムテイスト値及びフイルムテイストチャート２を、ラベルシート８ではなく、本体７の外面に直接印刷することも可能である。
【００３８】
図５は、販売時にレンズ付きフイルムユニット６を収容する紙製の収容箱９を示す。同図（Ａ）は斜視図、同図（Ｂ）はその展開図である。直方形の収容箱９の外面には、収容されたレンズ付きフイルムユニット６が備える銀塩フイルムのフイルムテイスト値、及びこのフイルムテイスト値をグラフ上に表したフイルムテイストチャート２が印刷されており、その他、撮影枚数なども印刷されている。購入者は、収容箱９の外面に付されたフイルムテイスト値又はフイルムテイストチャート２を参照することで、簡単かつ的確に好みの彩度・階調特性を有するものを選択することができる。なお、収容箱９は、レンズ付きフイルムユニットを包装可能なものであれば材質や形状には限定されず、適宜の材質や形状を用いることができる。
【００３９】
なお、上記実施形態では、彩度を縦軸、階調を横軸とした２軸のフイルムテイストチャート２には、そのチャートが付された製品（フイルムカートリッジ、レンズ付きフイルムユニット）が備える銀塩フイルムのフイルムテイスト値のみが表示されたが、本発明はこれに限られるものではなく、該フイルムテイスト値を他の製品のフイルムテイスト値とを比較すべく、図６に示すように表示してもよい。同図では、フイルムテイスト値（００，２）はフイルムテイストチャート１０が付された製品の特性を表し、他のフイルムテイスト値は他製品の特性を示している。
【００４０】
また、上記実施形態では、銀塩フイルムの有する特性のうち彩度及び階調の２つを定量化してフイルムテイスト値としたが、本発明はこれに限られるものではなく、その他の特性（例えば、粒状度、粒子形状など）を定量化してフイルムテイスト値としてもよい。さらに、定量化された３つ以上の特性を用い、３軸以上を有するグラフ上にフイルムテイスト値を表すようにしてもよい。
【図面の簡単な説明】
【００４１】
【図１】彩度及び階調を表すフイルムテイストチャートの一例を示す図である。
【図２】パトローネを示す斜視図である。
【図３】フイルムカートリッジの収容箱を示す図であって、（Ａ）は斜視図、（Ｂ）は展開図である。
【図４】レンズ付きフイルムユニットを示す斜視図である。
【図５】レンズ付きフイルムユニットの収容箱を示す図であって、（Ａ）は斜視図、（Ｂ）は展開図である。
【図６】フイルムテイストチャートの別の例を示す図である。
【符号の説明】
【００４２】
２  フイルムテイストチャート
３  銀塩フイルム
４  パトローネ
５  収容箱
６  フイルムユニット
７  本体
８  ラベルシート
９  収容箱
１０  フイルムテイストチャート
【図１】
2005316253.tif 000003
【図２】
2005316253.tif 000004
【図３】
2005316253.tif 000005
【図４】
2005316253.tif 000006
【図５】
2005316253.tif 000007
【図６】
2005316253.tif 000008